(57)【要約】【課題】  複数のドキュメント処理装置ＭＦＤが存在する環境で、クライアント端末装置ＭＴが選択したドキュメント処理装置に容易且つ迅速に接続してドキュメント処理を実行する。【解決手段】  クライアント端末装置ＭＴとドキュメント処理装置ＭＦＤ（Ａ）〜ＭＦＤ（Ｃ）はそれぞれ無線通信機能を有し、ドキュメント処理装置ＭＦＤ（Ａ）がビーコン信号により自己に無線接続するために必要な設定情報を送信し、クライアント端末装置ＭＴが受信した設定情報によりドキュメント処理装置ＭＦＤ（Ａ）に接続し、ドキュメント処理装置ＭＦＤ（Ａ）が他のドキュメント処理装置ＭＦＤ（Ｂ）、ＭＦＤ（Ｃ）にアドホック無線接続するための設定情報を送信し、クライアント端末装置ＭＴが受信した設定情報に基づいて他のドキュメント処理装置ＭＦＤ（Ｂ）とアドホック接続してドキュメント処理ジョブを送信する。【選択図】  図１
2006173948.tif 000002
【特許請求の範囲】
【請求項１】
それぞれ無線通信機能を有するクライアント端末装置とドキュメント処理装置とが無線ＬＡＮアドホック接続して、当該クライアント端末装置からのドキュメント処理ジョブを当該ドキュメント処理装置が実行するドキュメント処理システムであって、
ドキュメント処理装置は、クライアント端末装置が自己に無線接続するために必要な設定情報と他のドキュメント処理装置に無線接続するために必要な設定情報とを保持する情報保持手段と、クライアント端末装置に対して当該情報保持手段が保持する設定情報を送信する情報提供手段と、を備え、
クライアント端末装置は、前記ドキュメント処理装置から受信した設定情報に基づいて選択されたドキュメント処理装置とアドホック接続処理を行う通信制御手段を備えたことを特徴とするドキュメント処理システム。
【請求項２】
請求項１に記載のドキュメント処理システムにおいて、
前記情報保持手段は、自己のドキュメント処理装置の機能情報と他のドキュメント処理装置の機能情報も設定情報とともに保持し、
前記情報提供手段は、クライアント端末装置に対して当該情報保持手段が保持する情報を送信することを特徴とするドキュメント処理システム。
【請求項３】
請求項１乃至請求項３のいずれか１項に記載のドキュメント処理システムにおいて、
前記情報提供手段は、既にアドホック接続しているドキュメント処理装置に係る情報を省いて、クライアント端末装置に対して当該情報保持手段が保持する情報を送信することを特徴とするドキュメント処理システム。
【請求項４】
請求項１又は請求項３に記載のドキュメント処理システムにおいて、
前記ドキュメント処理装置は、ネットワークで接続された他のドキュメント処理装置から前記情報保持手段に保持する情報を取得する情報収集手段を備えていることを特徴とするドキュメント処理システム。
【請求項５】
請求項１乃至請求項４のいずれか１項に記載のドキュメント処理システムにおいて、
前記ドキュメント処理装置は、アドホック接続に用いる通信チャネルを生成して前記クライアント端末装置及び前記ドキュメント処理装置に提供するチャネル生成手段を備えていることを特徴とするドキュメント処理システム。
【請求項６】
請求項１乃至請求項５のいずれか１項に記載のドキュメント処理システムにおいて、
前記ドキュメント処理装置は、無線ＬＡＮサービスセットＩＤを生成して前記クライアント端末装置及び前記ドキュメント処理装置に提供するＩＤ生成手段を備えていることを特徴とするドキュメント処理システム。
【請求項７】
請求項１乃至請求項６のいずれか１項に記載のドキュメント処理システムにおいて、
前記クライアント端末装置は、前記ドキュメント処理装置から受信した情報を画面表示するユーザインタフェースを備え、前記通信制御手段は当該ユーザインタフェースによりユーザが選択したドキュメント処理装置とアドホック接続処理を行うことを特徴とするドキュメント処理システム。
【請求項８】
無線通信機能を有するクライアント端末装置と無線ＬＡＮアドホック接続して、当該クライアント端末装置からのドキュメント処理ジョブを実行するドキュメント処理装置であって、
クライアント端末装置と無線通信を行う無線通信手段と、クライアント端末装置が自己に無線接続するために必要な設定情報と他のドキュメント処理装置に無線接続するために必要な設定情報とを保持する情報保持手段と、クライアント端末装置に対して当該情報保持手段が保持する設定情報を送信する情報提供手段と、を備えていることを特徴とするドキュメント処理装置。
【請求項９】
無線通信機能を有するクライアント端末装置と無線ＬＡＮアドホック接続して、当該クライアント端末装置からのドキュメント処理ジョブを実行するドキュメント処理装置を、コンピュータにより構成するプログラムであって、
クライアント端末装置が自己に無線接続するために必要な設定情報と他のドキュメント処理装置に無線接続するために必要な設定情報とを保持する情報保持手段と、クライアント端末装置に対して当該情報保持手段が保持する設定情報を送信する情報提供手段と、をコンピュータに構成することを特徴とするプログラム。
【請求項１０】
それぞれ無線通信機能を有するクライアント端末装置とドキュメント処理装置とが無線ＬＡＮアドホック接続して、当該クライアント端末装置からのドキュメント処理ジョブを当該ドキュメント処理装置が実行するドキュメント処理方法であって、
ドキュメント処理装置が、ビーコン信号により自己に無線接続するために必要な設定情報を送信し、
クライアント端末装置が、受信したビーコン信号に含まれる設定情報により前記ドキュメント処理装置に接続し、
前記ドキュメント処理装置が、他のドキュメント処理装置にアドホック無線接続するために必要な設定情報を当該接続したクライアント端末装置に送信し、
クライアント端末装置は、受信した設定情報に基づいて選択したドキュメント処理装置とアドホック接続処理して、当該ドキュメント処理装置にドキュメント処理ジョブを送信することを特徴とするドキュメント処理方法。
【発明の詳細な説明】
【技術分野】
【０００１】
本発明は、モバイル機器等のクライアント端末装置と、プリンタ装置等のドキュメント処理装置とが無線ＬＡＮアドホック接続して、クライアント端末装置からのドキュメント処理ジョブをドキュメント処理装置が実行するドキュメント処理技術に関し、特に、複数台存在するドキュメント処理装置の内の１台が無線接続に必要な設定情報をクライアント端末装置に提供して、クライアント接続装置が所望のドキュメント処理装置に迅速にアドホック接続することができるようにした技術に関する。
【背景技術】
【０００２】
近年、有線ＬＡＮを用いたネットワーク通信に対して、無線通信の高速化や規格化による相互接続性の改善により、無線通信によるネットワーク環境が拡大しつつある。例えば、無線ＬＡＮのIEEE802.11系、Bluetoothなどの近距離無線通信を用いたデータの送受信が実用化されている。
プリンタ装置、スキャナ装置、これらドキュメント処理機能を複合的に備えた複合機等といったドキュメント処理装置も無線通信機能を搭載することで、オフィスに限らず、店舗、公共スペース等において、モバイルＰＣ、ＰＤＡ、携帯電話機等といったクライアント端末装置とワイヤレスで接続し、クライアント装置からのドキュメント処理ジョブを実行することが可能となっている。特に、外出先でのプリントニーズではワイヤレスによる利便性は大きく、今後、無線を用いたプリント出力の利用が拡大されることが予測されている。
【０００３】
このような無線プリントに用いることができる通信手段として、例えば、IEEE802.11系無線ＬＡＮ通信では、クライアント端末装置がアクセスポイント（ＡＰ）と呼ばれる無線基地局を経由して、ドキュメント処理装置にネットワーク接続されるインフラストラクチャモードと、アクセスポイントを経由することなく、クライアント端末装置がドキュメント処理装置に直接接続するアドホックモードとがサポートされている。
なお、通常は、アクセスポイントを経由してＬＡＮに接続することを前提としているため、プリンタ等のドキュメント処理装置もインフラストラクチャモードで接続されるようにＬＡＮ上に置かれている。
【０００４】
このため、外出先のオフィス等でクライアント端末装置からドキュメント処理装置を利用してドキュメント印刷をする場合には、先ずクライアント端末装置をアクセスポイントに接続し、そのネットワーク上にあるドキュメント処理装置にプリント処理ジョブを出力することが必要となる。
【０００５】
しかしながら、クライアント端末装置をアクセスポイントに接続するためには、アクセスポイントの検索、当該アクセスポイントのサービスセットＩＤ（ＥＳＳＩＤ）やＭＡＣアドレス情報の取得、ＬＡＮ接続のためのＩＰアドレスの取得が必要となる。更には、セキュリティ対策から、無線接続時の認証や暗号化処理を行う場合もあり、認証を行う場合には、特定のユーザしか接続が許可されないため、事前にクライアント端末装置の情報を登録する必要があり、    また、暗号化処理された場合では、暗号鍵情報が必要となる。
したがって、外部環境においては、これらアクセスポイントに接続するための設定情報を予め設定しておく必要があり、極めて煩雑な処理や操作が必要とされる。
【０００６】
また、クライアント端末装置をアクセスポイントに接続しても、ジョブ内容に適したドキュメント処理装置を検索する必要があり、例えば、ユーザの目の前のプリンタ装置にプリント出力したい場合でも、当該プリンタで処理するためにはプリンタのＩＰアドレスやホスト名等の情報が必要となって容易ではない。
このような接続操作の煩わしさを解消する方法として、クライアント端末装置とドキュメント処理装置をと一対一で直接無線接続するアドホックモード接続を利用する方法が考えられる。すなわち、クライアント端末装置と目的のドキュメント処理装置とを直接接続することで、クライアント端末装置はネットワークに接続する必要なくして、接続先となるドキュメント処理装置との間で予め規定した手順を踏むことで無線通信に係わる設定を取り交わし、ドキュメント処理ジョブをドキュメント処理装置へ送信して実行させることができる。
【０００７】
なお、相手端末がネットワーク接続又はアドホック接続の端末であるかをキャッシュテーブルに保持することにより、ユーザが相手端末がいずれの通信が可能であるかを意識する必要なしに無線端末間を通信接続を可能にする発明が提案されている（特許文献１参照。）。
また、ネットワーク接続されている情報処理機器名を管理し、複数の機器間で管理情報の更新を通知して更新を管理する発明が提案されている（特許文献２参照。）。
また、印刷装置に２つの無線ネットワークへの接続切替え機能を設け、第１の設定情報に基づいてユーザ無線ＬＡＮに接続し、第２の設定情報に基づいてメーカ無線ＬＡＮに接続し、新たにユーザ無線ＬＡＮに接続しようとするプリンタに対してユーザＬＡＮに係る設定情報を送付することで、当該プリンタに対してユーザが設定操作する手間を低減する発明が提案されている（特許文献３参照。）。
また、端末装置の機能とサービスセットＩＤとを連動させて設定し、端末装置の検索時には、サービスセットＩＤを見て所望の通信相手を選択するようにした発明が提案されている（特許文献４参照。）。
【特許文献１】特開平０７―３０３１０５号公報。
【特許文献２】特開２００２―１５８６７３号公報。
【特許文献３】特開２００３―１６３６６８号公報。
【特許文献４】特開２００３―２８９３０６号公報。
【発明の開示】
【発明が解決しようとする課題】
【０００８】
上記のようにアドホックモード接続では、ネットワーク接続のための煩雑な操作や処理を必要としないが、クライアント端末装置は目的のドキュメント処理装置に直接接続するために必要な情報を設定する必要がある。複数台のドキュメント処理装置が存在する場合には、無線接続に使用するサービスセットＩＤや通信周波数チャネル等を各ドキュメント処理装置との間で設定する必要がある。
したがって、クライアント端末装置が目的のドキュメント処理装置にアドホックモード接続しようとする度に、この接続情報の設定をしなければならず、操作や処理が煩雑であるという課題があった。
【０００９】
また、クライアント端末装置のユーザは、目的のドキュメント処理装置がどのような処理機能を有しているかを認識した上でジョブ処理を実行させたい要求があるが、これを判断するための情報が必要となる。
ドキュメント処理装置が複数存在する場合には、クライアント端末装置が各ドキュメント処理装置にそれそれ接続してドキュメント処理装置に対して機能を問い合わせる操作処理を行うとすると、その都度、ドキュメント処理装置とクライアント端末装置との間で無線接続設定を繰り返す必要があり、操作や処理が煩雑であるという課題があった。
【００１０】
本発明は、上記従来の事情に鑑みなされたのもであり、ドキュメント処理装置によるドキュメント処理をクライアント端末装置により利用し易い環境を実現することを目的としている。
すなわち、本発明は、クライアント端末装置が通信可能な範囲に複数のドキュメント処理装置の内から選択したドキュメント処理装置に容易且つ迅速に接続して、当該ドキュメント処理装置によるドキュメント処理を利用し易い環境を実現することを目的としている。
また、本発明は、各ドキュメント処理装置が実行し得る機能も提供して、クライアント端末装置によりドキュメント処理装置を選択し易い環境を実現することを目的としている。
【課題を解決するための手段】
【００１１】
本発明は、それぞれ無線通信機能を有するクライアント端末装置とドキュメント処理装置とが無線ＬＡＮアドホック接続して当該クライアント端末装置からのドキュメント処理ジョブを当該ドキュメント処理装置が実行するドキュメント処理システム、このような装置選択システムを構成するドキュメント処理装置、このようなドキュメント処理装置をコンピュータにより構成するプログラム、このようなドキュメント処理システムにより実施される方法である。
【００１２】
ここに、クライアント端末装置としては、パーソナルコンピュータ、モバイル機器、携帯電話機等のように無線で通信する機能を有した情報処理機器が用いられる。
ドキュメント処理装置としては、プリンタ装置、スキャナ装置、ファクシミリ装置、コピー装置、これら機能を複合的に備えた複合機等のドキュメント処理を行う装置が用いられる。
【００１３】
本発明では、複数台のドキュメント処理装置が存在する環境において、ドキュメント処理装置がビーコン信号により自己に無線接続するために必要な設定情報を送信し、クライアント端末装置が受信したビーコン信号に含まれる設定情報により前記ドキュメント処理装置に接続し、ドキュメント処理装置が他のドキュメント処理装置にアドホック無線接続するために必要な設定情報とを当該接続したクライアント端末装置に送信し、クライアント端末装置が、受信した設定情報に基づいて選択したドキュメント処理装置とアドホック接続処理して、当該ドキュメント処理装置にドキュメント処理ジョブを送信する。
【００１４】
本発明に係るシステムでは、ドキュメント処理装置は、クライアント端末装置が自己に無線接続するために必要な設定情報と他のドキュメント処理装置に無線接続するために必要な設定情報とを保持する情報保持手段と、クライアント端末装置に対して当該情報保持手段が保持する設定情報を送信する情報提供手段と、を備え、クライアント端末装置は、前記ドキュメント処理装置から受信した設定情報に基づいて選択されたドキュメント処理装置とアドホック接続処理を行う通信制御手段を備えている。
これにより、クライアント端末装置が他のドキュメント処理装置にアドホック接続しようとする場合には、当該他の装置から再度設定情報を取得する操作や処理を行う必要がなく、クライアント端末装置が選択したドキュメント処理装置に迅速にアドホック接続してドキュメント処理を実行させることができる。
【００１５】
ここで、クライアント端末装置に保持している接続設定情報を提供するドキュメント処理装置は、アドホック通信の窓口として設定された特定のドキュメント処理装置であってもよく、或いは、全てのドキュメント処理装置であってもよい。後者の場合には、クライアント端末装置がいずれかのドキュメント処理装置に接続すれば、他のドキュメント処理装置にアドホック接続するための設定情報を得ることができ、更には、或るドキュメント処理装置がクライアント端末装置とアドホック接続している状況であっても、他のクライアント端末装置へいずれかのドキュメント処理装置により情報提供をすることができる。
【００１６】
また、情報保持手段にドキュメント処理装置の機能情報も保持させ、情報提供手段がクライアント端末装置に対して当該機能情報も送信するようにしてもよい。これにより、ドキュメント処理装置が例えばプリンタである場合には、用紙サイズ、カラー或いはモノクロの印刷種別、印刷速度等といった機能情報をクライアント端末装置が得ることができ、適切なドキュメント処理を選択してアドホック接続しようとするユーザを支援することができる。
なお、クライアント端末装置は、ドキュメント処理装置から受信した情報を画面表示するユーザインタフェースを備え、通信制御手段は当該ユーザインタフェースによりユーザが選択したドキュメント処理装置とアドホック接続処理を行うようにしてもよく、或いは、予め設定登録した条件とドキュメント処理装置から受信した情報とを比較して、当該条件に合うドキュメント処理装置を自動的に選択するようにしてもよい。
【００１７】
また、情報提供手段が、既にアドホック接続しているドキュメント処理装置に係る情報を省いて、クライアント端末装置に対して情報保持手段が保持する情報を送信するようにしてもよく、これによって、アドホック接続可能なドキュメント処理装置に関する情報をクライアント端末装置に提供することができる。
また、ドキュメント処理装置は、ネットワークで接続された他のドキュメント処理装置から前記情報保持手段に保持する情報を取得する情報収集手段を備えてもよく、他のドキュメント処理装置に係る情報を随時更新できるようにしてもよい。
【００１８】
また、ドキュメント処理装置は、アドホック接続に用いる通信チャネルを生成して、アドホック接続しようとするクライアント端末装置及びドキュメント処理装置に提供するようにしてもよく、これによって、無線ＬＡＮネットワークで使用する通信チャネルと異なる通信チャネルによりアドホック接続させて、アドホック接続するクライアント端末装置とドキュメント処理装置をネットワークから切り離し、ネットワークセキュリティの保障することができる。
【００１９】
また、ドキュメント処理装置は、無線ＬＡＮサービスセットＩＤを生成して、アドホック接続しようとするクライアント端末装置及びドキュメント処理装置に提供するようにしてもよく、これによって、無線ＬＡＮネットワークで使用するサービスセットＩＤと異なるＩＤにより、アドホック接続するクライアント端末装置とドキュメント処理装置をネットワークから切り離し、ネットワークセキュリティの保障することができる。
【発明の効果】
【００２０】
本発明によると、複数のドキュメント処理装置が存在する環境で、クライアント端末装置が接続したドキュメント処理装置により他のドキュメント処理装置に係る接続設定情報も提供するようにしたため、クライアント端末装置が複数のドキュメント処理装置の内から選択したドキュメント処理装置に容易且つ迅速に接続して、当該ドキュメント処理装置によるドキュメント処理を利用することができる。
また、本発明によると、クライアント端末装置が接続したドキュメント処理装置が各ドキュメント処理装置の機能も提供するようにしたため、クライアント端末装置によりドキュメント処理装置を容易に選択することができる。
【発明を実施するための最良の形態】
【００２１】
本発明を一実施形態に基づいて具体的に説明する。
図１に示すように、本例は、クライアント端末装置として無線通信機能を備えたモバイル機器ＭＴを用い、無線通信機能を備えたドキュメント処理装置として３台の複合機ＭＦＤ（Ａ）、ＭＦＤ（Ｂ）、ＭＦＤ（Ｃ）を用いたドキュメント処理システムである。
これら複合機ＭＦＤ（Ａ）、ＭＦＤ（Ｂ）、ＭＦＤ（Ｃ）はＬＡＮにより接続されて、接続設定情報や機能情報を交換することができる。
【００２２】
ここで、クライアント端末装置ＭＴが複合機ＭＦＤ（Ａ）から接続設定報や機能情報を取得して、他の複合機ＭＦＤ（Ｂ）にアドホック接続してドキュメントの印刷処理ジョブを依頼する例を説明するが、複合機ＭＦＤ（Ｃ）や、情報提供を受けた複合機ＭＦＤ（Ａ）に印刷処理ジョブを依頼する場合も同様に処理することができる。
【００２３】
図２には、本例のクライアント端末装置ＭＴと複合機ＭＦＤ（Ａ）が備える機能構成を示してある。
クライアント端末装置ＭＴは、複合機ＭＦＤ等と無線通信する無線通信手段１、無線通信の接続情報を設定する等の制御を行う通信制御手段２、情報を画面表示しまたユーザからの入力を受け付けるユーザインタフェース（ＵＩ）３、複合機ＭＦＤに印刷処理を依頼するドキュメントデータ等を保持するメモリ４を有している。
【００２４】
複合機ＭＦＤ（Ａ）は、印刷処理等のドキュメント処理を行うデータ処理手段１０、クライアント端末装置ＭＴ等と無線通信する無線通信手段１１、無線通信の接続情報を設定する等の制御を行う通信制御手段１２、複合機ＭＦＤ（Ａ）及び他の複合機ＭＦＤ（Ｂ）、ＭＦＤ（Ｃ）の無線接続に必要な設定情報や複合機の機能情報を保持する情報テーブル１３、他の複合機ＭＦＤ（Ｂ）、ＭＦＤ（Ｃ）と接続するＬＡＮの入出力手段１４を有している。
【００２５】
情報テーブル１３には、図３に示すように、各複合機ＭＦＤ（Ａ）、ＭＦＤ（Ｂ）、ＭＦＤ（Ｃ）をそのＭＡＣアドレスで識別して、サービスセットＩＤ（ＥＳＳＩＤ）、使用する通信チャネル（ＣＨ）、ＩＰアドレス等といった無線接続に必要な設定情報、及び、各複合機が有する処理機能の情報（カラー印刷の可否、両面印刷の可否、印刷可能な用紙サイズ等）が保持される。
なお、情報テーブル１３が保持する情報はクライアント端末装置ＭＴに送信されて、そのユーザインタフェース３の画面に図３に示すような態様で一覧表示され、ユーザがユーザインタフェース３から入力して、当該一覧中の所望の複合機をアドホック通信相手に選択することができる。
【００２６】
更に、上記の通信制御手段１２は、自己の接続設定情報（ＭＡＣアドレス、使用する通信チャネル、サービスセットＩＤ（ＥＳＳＩＤ）等）を含むビーコン信号を発信するビーコン発信手段１５、情報テーブル１３に保持した情報をクライアント端末装置ＭＴへ提供する情報提供手段１６、クライアント端末装置ＭＴと選択された複合機（本例では、ＭＦＤ（Ｂ））にアドホック接続に用いる通信チャネル及びサービスセットＩＤを提供する生成手段１７、アドホック接続に用いるＩＰアドレスの割り当て処理を行うＤＨＣＰ手段１８、ＬＡＮを介して他の複合機ＭＦＤ（Ｂ）、ＭＦＤ（Ｃ）からそれらの機能情報や無線接続設定情報を取得する情報収集手段１９を有している。
【００２７】
なお、図２では複合機ＭＦＤ（Ａ）を代表して説明したが、他の複合機ＭＦＤ（Ｂ）、ＭＦＤ（Ｃ）も同様な機能構成を有している。
また、ドキュメント処理装置が備える上記の各機能手段１１から１９は専用のハードウエアで構成してもよいが、本例では、ドキュメント処理装置（複合機）のコンピュータハードウエアにより本発明に係るプログラムを実行することで構成している。
【００２８】
図４には、上記ドキュメント処理システムによる処理手順の一例を示してある。
本例では、複合機ＭＦＤ（Ａ）だけが検索用のビーコン信号を定期的に発信するように設定してあり、クライアント端末装置ＭＴが検索すると、複合機ＭＦＤ（Ａ）の通信チャネルやＥＳＳＩＤを含む検索用ビーコン信号が検出される。
なお、複合機ＭＦＤ（Ａ）が選択されてクライアント端末装置ＭＴとアドホック接続した場合には、複合機ＭＦＤ（Ａ）がアドホック接続していない他のいずれかの複合機ＭＦＤ（Ｂ）、ＭＦＤ（Ｃ）に通知して、他の複合機が同様に検索用ビーコン信号を発信する。
【００２９】
ここで、複合機ＭＦＤ（Ａ）は情報収集手段１９により、既に他の複合機ＭＦＤ（Ｂ）、ＭＦＤ（Ｃ）からこれら装置に係る無線接続設定情報及び機能情報を取得して、図３に示すように、情報テーブル３に保持している。
なお、本例では、複合機ＭＦＤ（Ａ）は自己の無線接続設定情報も情報テーブル３に保持している。
【００３０】
クライアント端末装置ＭＴは、受信したビーコン信号に含まれる通信チャネルやＥＳＳＩＤ当に基づいて、複合機ＭＦＤ（Ａ）に接続要求（ＲＴＳ）を無線送信し、複合機ＭＦＤ（Ａ）が受信可能であれば応答（ＣＴＳ）を返信する。
次いで、クライアント端末装置ＭＴは、複合機ＭＦＤ（Ａ）のＩＰアドレス要求（ＡＲＰ）を無線送信し、複合機ＭＦＤ（Ａ）が自己のＩＰアドレスを提供する。
そして、クライアント端末装置ＭＴは、自己のＩＰアドレス要求（ＤＨＣＰ）を無線送信し、複合機ＭＦＤ（Ａ）ＤＨＣＰ手段１８で割り当てたクライアント端末のＩＰアドレスを提供する。
【００３１】
次いで、クライアント端末装置ＭＴは、複合機ＭＦＤ（Ａ）に情報要求を無線送信し、複合機ＭＦＤ（Ａ）が情報テーブル１３に保持している情報（図３）を提供する。
そして、クライアント端末装置ＭＴは、受信した情報を画面３に表示し、ユーザから複合機ＭＦＤ（Ｂ）をジョブ依頼先に選択する入力がされると、通信制御手段２が受信した情報に含まれる複合機ＭＦＤ（Ｂ）に係る接続設定情報に基づいて無線通信手段１を設定し、複合機ＭＦＤ（Ｂ）とアドホック接続してメモリ４に保持するドキュメントデータとともに印刷出力ジョブを送信する。
【００３２】
一方、複合機ＭＦＤ（Ｂ）では、クライアント端末装置ＭＴからの接続処理に応じてクライアント端末装置ＭＴとのアドホック接続を確立し、印刷出力ジョブに応じてデータ処理手段１０によりドキュメントの印刷出力を行い、処理が終了したところでクライアント端末装置ＭＴに終了通知を送信する。
したがって、クライアント端末装置ＭＴのユーザは、受信した情報から各複合機の機能を認知することができ、実行したいジョブに応じて最適な複合機を選択することができる。また、クライアント端末装置ＭＴは受信した情報に基づいて、選択された複合機と迅速にアドホック接続してジョブを送信することができる。
【００３３】
ここで、本発明では、例えば図５に示すように、クライアント端末装置ＭＴと、ジョブ処理の依頼先として選択された複合機ＭＦＤ（Ｂ）とに、複合機ＭＦＤ（Ａ）が生成手段１７で生成したアドホック接続用の通信チャネルとＥＳＳＩＤを提供して、クライアント端末装置ＭＴと複合機ＭＦＤ（Ｂ）とに当該通信チャネルとＥＳＳＩＤに基づいてアドホック接続されるようにしてもよい。
これにより、クライアント端末装置ＭＴと複合機ＭＦＤ（Ｂ）とをネットワーク通信とは異なる通信チャネルとＥＳＳＩＤでアドホック接続させることができ、当該クライアント端末装置ＭＴをネットワークから切り離してネットワークセキュリティを保障することができる。
【００３４】
また、本発明では、例えば図６に示すように、複合機ＭＦＤ（Ａ）の情報提供手段１６がクライアント端末装置ＭＴへ提供する情報（設定情報、機能情報）から既に他のクライアント端末装置とアドホック接続している複合機（図示の例では、複合機ＭＦＤ（Ｂ））を省くようにしてもよい。これに応じて、クライアント端末装置ＭＴのユーザインタフェース画面３には図３に示すように省かれた複合機ＭＦＤ（Ｂ）について「使用中」等といった表示をする等して、ユーザによる選択対象から外すようにすることができる。
【図面の簡単な説明】
【００３５】
【図１】本発明の一実施例に係るドキュメント処理システムの構成図である。
【図２】本発明の一実施例に係るドキュメント処理システムの機能構成図である。
【図３】本発明の一実施例に係る情報テーブルを説明する図である。
【図４】本発明の一例に係る処理手順を説明する図である。
【図５】本発明の他の一例に係る処理手順を説明する図である。
【図６】本発明の他の一例に係る情報テーブルを説明する図である。
【符号の説明】
【００３６】
１：無線通信手段、  ２：通信制御手段、
３：ユーザインタフェース、  １０：データ処理手段、
１１：無線通信手段、  １２：通信制御手段、
１３：情報テーブル（情報保持手段）、  １５：ビーコン発信手段、
１６：情報提供手段、  １７：通信チャネル／ＳＳＩＤ生成手段、
１８：ＤＨＣＰ手段、  １９：情報収集手段、
ＭＴ：クライアント端末装置、
ＭＦＤ（Ａ）、ＭＦＤ（Ｂ）、ＭＦＤ（Ｃ）：複合機（ドキュメント処理装置）。
【図１】
2006173948.tif 000003
【図２】
2006173948.tif 000004
【図３】
2006173948.tif 000005
【図４】
2006173948.tif 000006
【図５】
2006173948.tif 000007
【図６】
2006173948.tif 000008